(57)【要約】【課題】配線ダクトの開口部側から接続できるとともに、その機械的接続及び電気的接続を簡単に行えるようにして、設置作業の効率化を図ることが可能な配線装置及びこの配線装置を用いた配線ダクトシステムを提供することを目的とする。【解決手段】本発明は、配線ダクト１０の長手方向に沿って形成された開口部１２側から接続可能な配線ダクト結合部３と、この配線ダクト結合部３に設けられ、配線ダクト結合部３の配線ダクト１０への前記接続方向に動作可能な作動部材６と、この作動部材６の動作によって長手方向と直交する方向に突出する機械的接続手段４及び電気的接続手段５とを備える配線装置１である。【選択図】図４
2010075006.tif 000002
【特許請求の範囲】
【請求項１】
配線ダクトの長手方向に沿って形成された開口部側から接続可能な配線ダクト結合部と；
この配線ダクト結合部に設けられ、配線ダクト結合部の配線ダクトへの前記接続方向に動作可能な作動部材と；
この作動部材の動作によって長手方向と直交する方向に突出する機械的接続手段及び電気的接続手段と；
を具備することを特徴とする配線装置。
【請求項２】
前記配線ダクト結合部の背面側には主壁面が配設されており、作動部材は、非動作時には主壁面から突出し、操作により接続方向に動作させた場合には、配線ダクト結合部内に没入することを特徴とする請求項１に記載の配線装置。
【請求項３】
長手方向に沿って形成された開口部を有する長尺状の配線ダクトと；
この配線ダクトの前記開口部側から接続される請求項１又は請求項２に記載の配線装置と；
を具備することを特徴とする配線ダクトシステム。
【発明の詳細な説明】
【技術分野】
【０００１】
本発明は、配線装置及びこの配線装置を用いた配線ダクトシステムに関する。
【背景技術】
【０００２】
従来から、照明器具やコンセント等の電気機器を任意の箇所に配設可能とするために、当該電気機器を任意の位置に取付可能であるとともに、電気機器がいずれの取付位置でも給電可能とする配線ダクトが用いられている。配線ダクトは、ダクト本体の内側に長手方向に沿って給電用の対をなす導電部が設けられており、これら導電部と電気機器側の対の端子とが接続して電気機器がいずれの取付位置でも給電可能としているものである。このような配線ダクトは、天井面や壁面等に複数本が任意に設置され、これら配線ダクトの端部間に配線装置としてジョインタを差込み、配線ダクト相互を機械的及び電気的に接続しているものである（例えば、非特許文献１）。
【非特許文献１】松下電工  電設資材カタログ2006-2008  895頁「１００Ｖダクトシステム・アース付ダクトシステム」［平成20年7月18日検索］、インターネット  （http://biz.national.jp/Ebox/densetsu2006/index.html）
【発明の開示】
【発明が解決しようとする課題】
【０００３】
しかしながら、従来のような配線ダクトは、天井面や壁面等の設置面に複数本の配線ダクトを任意に設置したい場合には、設置面に配線ダクトを取付ける前に、複数本の配線ダクトの端部開口部側から連結用のジョインタを機械的及び電気的に接続し、一体の配線ダクトユニットを形成しなくてはならない。すなわち、一方の配線ダクトに接続された連結用のジョインタに対して他方の配線ダクトの長手方向における端部開口部を挿入及び係合させることで、複数本の配線ダクトの連結が行えるものである。ゆえに、設置面に配設したい所望の配線ダクトユニットを予め準備しておく必要があるため、所望の配線ダクトユニットが比較的長いものとなると、その設置作業には大人数を必要とし、施工が煩雑となるものであった。
【０００４】
また、設置面に複数本の配線ダクトを任意に設置する他の方法として、１本の配線ダクトを設置面に取付けた後に連結用のジョインタを接続し、その後、他の配線ダクトをジョインタに接続することも考えられる。しかしながら、このような方法であっても、連結用のジョインタの接続及び当該ジョインタへの配線ダクトの接続は、配線ダクトの長手方向における端部開口部側から挿入する方法であるため、配線ダクトを支えながら作業を行わなければならず、特に、設置面が天井面である場合には、設置作業が非常に煩雑となるものである。
【０００５】
本発明は、上記課題に鑑みなされたもので、配線ダクトの開口部側から接続できるとともに、その機械的接続及び電気的接続を簡単に行えるようにして、設置作業の効率化を図ることが可能な配線装置及びこの配線装置を用いた配線ダクトシステムを提供することを目的とする。
【課題を解決するための手段】
【０００６】
請求項１に記載の配線装置は、配線ダクトの長手方向に沿って形成された開口部側から接続可能な配線ダクト結合部と；この配線ダクト結合部に設けられ、配線ダクト結合部の配線ダクトへの前記接続方向に動作可能な作動部材と；この作動部材の動作によって長手方向と直交する方向に突出する機械的接続手段及び電気的接続手段と；を具備することを特徴とする。
【０００７】
配線装置には、例えば、Ｉ形、Ｔ形、＋形等のいわゆるジョインタがあるが、本発明は、いずれにも適用可能である。長手方向と直交する方向に突出するとは、直線的に突出する場合や回動して突出する場合等を含み、要は、突出する過程は問題ではなく、結果的に長手方向と直交する方向に突出できればよい。作動部材の動作には、例えば、設置作業者が作動部材を操作することによって動作させる場合や配線ダクト結合部を配線ダクトに接続する操作に連動して、いわゆる、自動的に作動部材が動作する場合が含まれる。
【０００８】
請求項２に記載の配線装置は、請求項１に記載の配線装置において、前記配線ダクト結合部の背面側には主壁面が配設されており、作動部材は、非動作時には主壁面から突出し、操作により接続方向に動作させた場合には、配線ダクト結合部内に没入することを特徴とする。配線ダクト結合部内に没入とは、作動部材が配線ダクト結合部内に全て没入されてもよいし、一部が没入し、残部が主壁面から突出する形態のものであってもよい。
【０００９】
請求項３に記載の配線ダクトシステムは、長手方向に沿って形成された開口部を有する長尺状の配線ダクトと；この配線ダクトの前記開口部側から接続される請求項１又は請求項２に記載の配線装置と；を具備することを特徴とする。
【発明の効果】
【００１０】
請求項１に記載の発明によれば、配線装置を配線ダクトの開口部側から接続できるとともに、機械的接続及び電気的接続が簡単で、設置作業の効率化を図ることができる。
【００１１】
請求項２に記載の発明によれば、請求項２に記載の発明の効果に加え、主壁面から突出している作動部材を操作することにより機械的接続及び電気的接続を行うことができ、設置作業の効率化を図ることができる。
【００１２】
請求項３に記載の発明によれば、各請求項に記載の配線装置の効果を奏する配線ダクトシステムを提供することができる。
【発明を実施するための最良の形態】
【００１３】
以下、本発明の配線装置及び配線ダクトシステムの第１の実施形態について図１乃至図７を参照して説明する。図１は、配線装置を示す平面図及び断面図、図２は、配線装置の要部を示す模式的平面図、図３は、配線ダクトを示す断面図、図４は、配線装置と配線ダクトの接続状態を示す断面図、図５は、配線ダクトシステムを示す平面図、図６は、配線装置にカバーを取付けた状態を示す断面図、図７は、配線ダクトシステムの組立て状態を示す断面図である。
【００１４】
図１に示すように、配線装置１は、いわゆるＩ形のジョインタであって、合成樹脂製で略長方形状に形成され、主壁面２と配線ダクト結合部３とを備えている。配線ダクト結合部３の背面側には、この配線ダクト結合部３の長手方向に沿って主壁面２が形成されている。また、配線ダクト結合部３の両端側には、機械的接続手段４及び電気的接続手段５が設けられている。さらに、配線ダクト結合部３には、これら機械的接続手段４及び電気的接続手段５を接続作動するための作動部材６が設けられている。作動部材６は、略円柱状をなし、先端部が先細りのテーパ面６ａを有する円錐台形に形成されており、また、後端部が平坦な操作部６ｂとして構成されており、配線ダクト結合部３内をその内壁と主壁面２に形成された円形状の貫通孔２ａによってガイドされ、スライド動作できるようになっている。この作動部材６は、非動作時には、貫通孔２ａを介して、主壁面２の表面から突出した状態となっている。なお、作動部材６は、テーパ面６ａに設けられたストッパ突起６ｃによって、貫通孔２ａから抜け出ることなく保持されるようになっている。
【００１５】
機械的接続手段４は、図示上、作動部材６の下方に位置し、配線ダクト結合部３の両側に形成された溝孔３ａを通じて長手方向と直交する方向に突没可能な一対の係合子４ａを有している。図２に示すように、各係合子４ａは、背面が相互に当接する方向にバネ部材４ｂによって弾性力が付与されており、すなわち、係合子４ａが配線ダクト結合部３内に収納される方向に弾性力が付与されている。したがって、各係合子４ａは、背面が相互に当接する当接部４ｃを形成し、図示矢印方向に突没可能となっている。
【００１６】
電気的接続手段５は、機械的接続手段４の下方に位置し、導電性及び弾性を有する金属材料により形成され、配線ダクト結合部３の両側に形成された溝孔３ｂを通じて長手方向と直交する方向に突没可能となっている。
【００１７】
主壁面２は、配線ダクト結合部３の位置関係で規定される長手方向の中心線を境にして、この中心線と直交する方向、すなわち、幅方向の長さ寸法が左右異なるように構成されている。つまり、Ｗ1＞Ｗ2の寸法関係になるように構成されており、主壁面２のこれら左右の壁面は、非対称の形状をなしている。
【００１８】
図３に示すように、配線ダクト１０は、照明器具やコンセント等の電気機器を任意の箇所に配設可能とするために、当該電気機器を任意の位置に取付可能であるとともに、電気機器がいずれの取付位置でも給電可能としたものである。配線ダクト１０は、断面コ字状の長尺状のダクト本体１１を有し、例えば、亜鉛めっき鋼板等の金属製のダクト基材の外面全体を合成樹脂製の絶縁体により覆って一体的に形成されている。ダクト本体１１には、開口部１２が長手方向に沿って形成されているとともに、この開口部１２の両側には対になった支持鍔部１３が形成されている。さらに、開口部１２と反対側の壁面には、設置面に対してねじ等で取付けるための図示しない取付孔が形成されている。
【００１９】
ダクト本体１１の内側の両側位置には、対の絶縁性の導体保持部１４が長手方向に沿って設けられており、これら導体保持部１４には、電源ラインとして対となる導電部１５が長手方向に沿って取付けられている。導電部１５は、一方が電圧側導電部１５ａであり、他方が接地側導電部１５ｂである。また、開口部１２の一方の支持鍔部１３、すなわち、接地側導電部１５ｂ側である支持鍔部１３の外面には極性表示用の突条１６が一体に形成されている。なお、開口部１２と反対側の内壁面には、アースラインとなる導電部１５ｃが設けられている。
【００２０】
次に、配線装置１と配線ダクト１０の接続について図４を参照して説明する。図４（ａ）に示すように配線装置１の配線ダクト結合部３を配線ダクト１０の開口部１２から挿入する。すると、配線装置１の主壁面２の背面が配線ダクト１０の支持鍔部１３の外面に重なった状態となる。次に、主壁面２の表面から突出している作動部材６の操作部６ｂを押圧する。作動部材６は、配線ダクト結合部３の内壁と主壁面２の貫通孔２ａによってガイドされてスライド動作し、配線ダクト結合部３内に没入していく。このとき、作動部材６の先端部は、係合子４ａが形成している当接部４ｃに衝突し、さらに、テーパ面６ａにより、当接部４ｃを押し広げるように作用する。続いて没入が進むと、図４（ｂ）に示すように、作動部材６の円柱状部によって、係合子４ａの背面が押圧され、係合子４ａは、溝孔３ａを通じて突出し、両側の支持鍔部１３の内側に係合し、機械的接続が完了する。
【００２１】
一方、電気的接続についても上記機械的接続の延長線上で実行される。すなわち、電気的接続手段５は、機械的接続手段４の下方に位置しているので、作動部材６のスライド動作によって没入を進めていくと、作動部材６は、機械的接続手段４を通過後、同様に電気的接続手段５を配線ダクト結合部３から突出するように作用する。したがって、作動部材６の円柱状部によって、電気的接続手段５は外方に押圧され、溝孔３ｂを通じて突出し、電気的接続手段５は、両側の導電部１５に接触して、電気的接続が完了する。
【００２２】
以上のような機械的接続及び電気的接続は、配線ダクト結合部３の配線ダクト１０への接続方向に作動部材６を動作させることにより、つまり、作動部材６の動作方向を機械的接続手段４及び電気的接続手段５に対し、長手方向と直交する方向に突出する運動に変換してなされるものである。機械的接続及び電気的接続が完了した状態においては、作動部材６の操作部６ｂは、主壁面２と略面一となっており、外観上、好ましい形態となるとともに、機械的接続及び電気的接続が完了した状態であることを視覚的に確認しやすい構成となる。さらに、主壁面２の左右の壁面は非対称の形状をなしているので、主壁面２が極性表示用の突条１６の上に重なり合わさることなく、極性表示用の突条１６が外面に現れ、主壁面２と極性表示用の突条１６とは略面一となって外面を構成する。したがって、方向の誤りなく正規に接続された状態であることを視覚的に容易に判別でき、しかも、主壁面２と極性表示用の突条１６とが略面一になることにより、高さ寸法の増大をもたらすことなくコンパクトな構成となる。なお、配線ダクト１０から配線装置１を取外すために図示しない機械的接続手段４及び電気的接続手段５のリリース機構が設けられている。
【００２３】
このように配線装置１によって配線ダクト１０相互を接続して、図５に示すように、配線ダクトシステム２０を構成する。また、図６に示すように、配線装置１にカバー２１を取付け、覆うようにしてもよい。カバー２１は、断面コ字状であり、接続された配線装置１と配線ダクト１０を覆うものであり、外観向上の機能をなすものである。カバー２１を設ける場合、具体的には、図７（ａ）に示すように、構成部品は、カバー２１、配線装置１及び配線ダクト１０となる。この組立てにおいては、配線装置１を配線ダクト１０の開口部１２側から接続し（図７（ｂ））、その上からカバー２１を被せる（図７（ｃ））。この場合、カバー２１は、主壁面２と極性表示用の突条１６とが略面一となっているので、極性表示用の突条１６の影響を受けることなく前記のように断面コ字状に形成でき、取付方向を規制されないので、取付作業が容易となる効果を奏する。なお、カバー２１は、主壁面２と連接して一体的に設けるようにしてもよい。
【００２４】
次に、配線ダクト１０を設置面に配設する場合について説明する。設置面に配設したい所望の配線ダクトユニットを予め準備しておく場合には、配線ダクト１０を複数本配線装置１によって接続するが、このとき、従来のように、配線ダクト１０の端部開口部側から接続することなく、配線ダクト１０を開口部１２を上にして床等に並べ、配線ダクト１０の開口部１２側から配線装置１を接続することができ、しかも、作動部材６を動作させることにより、機械的接続及び電気的接続の双方が一連の操作で行うことができるので、作業が簡素化され、効率の向上を図ることができる。また、他の方法としては、例えば、天井面等の設置面に複数本の配線ダクト１０をレイアウトし仮固定しておき、その状態で各配線ダクト１０相互間を接続するように、開口部１２側から配線装置１を接続することができ、この場合も機械的接続及び電気的接続の双方が一連の操作で行うことができるので、作業の煩雑さが解消でき、効率の向上を図ることができる。
【００２５】
以上のように本実施形態によれば、配線装置１を配線ダクト１０の開口部側から接続できるとともに、作動部材６を動作させることにより、機械的接続及び電気的接続の双方が一連の操作で行うことができるので、機械的接続及び電気的接続が簡単に行え、設置作業の効率化を図ることができる。また、各接続が一連の操作で行うことができるので、接続のし忘れを回避することもできる。
【００２６】
次に、本発明の第２の実施形態に係る配線装置について図８を参照して説明する。図８は、配線装置の要部を示す模式的平面図である。なお、第１の実施形態と同一又は相当部分には同一符号を付し、重複した説明は省略する。
【００２７】
（実施例１)図８（ａ）に示すように、機械的接続手段４としての係合子４ａは、枢軸４ｓを中心として図示矢印方向に回動可能で、溝孔３ａから突没できるように構成されている。したがって、作動部材６を動作させることにより、作動部材６の先端部は、当接部４ｃを押し広げるように作用する。続いて作動部材６の円柱状部によって、係合子４ａの背面が押圧され、係合子４ａは、溝孔３ａを通じて突出し、機械的接続が完了する。
【００２８】
（実施例２）図８（ｂ）に示すように、機械的接続手段４としての係合子４ａは、楕円状に形成されており、中心軸４ｓを中心に図示矢印方向に回転可能であり、図示の原位置で弾性付勢されて約９０度回転可能となっている。この回転により、係合子４ａは、溝孔３ａから突没できるように構成されている。具体的には、係合子４ａの中央部にはスクリュー状の溝が形成されており、一方、作動部材６には、このスクリュー状の溝と噛み合う突起が形成されており、作動部材６を押圧動作させることにより、係合子４ａが所定の回転運動をなすように構成されている。したがって、作動部材６を動作させることにより、係合子４ａは、溝孔３ａを通じて突出し、機械的接続が完了する。
【００２９】
以上のように本実施形態によっても、作動部材６を動作させることにより、機械的接続及び電気的接続の双方が一連の操作で行うことができる。
【００３０】
次に、本発明の第３の実施形態について図９を参照して説明する。図９は、配線ダクトシステムを示す平面図である。なお、第１の実施形態と同一又は相当部分には同一符号を付しその重複する説明は省略する。本実施形態では、Ｌ形に配線装置１を構成したものである。この配線装置１は、配線ダクト１０を直角に曲げて配設する場合に適しているものである。本実施形態においても配線ダクト１０の開口部１２側から配線装置１を接続することができ、また、第１の実施形態と同様に機械的接続及び電気的接続を行うことができ、接続が簡単で、設置作業の効率化を図ることができる。なお、１０図に示すように、配線装置１をＴ形（図１０（ａ））、＋形（図１０（ｂ））等、必要に応じ各種形状で構成でき、この場合も上述と同様な作用効果を奏することが可能である。
【図面の簡単な説明】
【００３１】
【図１】本発明の第１の実施形態に係る配線装置を示す平面図及び断面図である。
【図２】同配線装置の要部を示す模式的平面図である。
【図３】同配線ダクトを示す断面図である。
【図４】同配線装置と配線ダクトの接続状態を示す断面図である。
【図５】同配線ダクトシステムを示す平面図である。
【図６】同配線装置にカバーを取付けた状態を示す断面図である。
【図７】同配線ダクトシステムの組立て状態を示す断面図である。
【図８】本発明の第２の実施形態に係る配線装置の要部を示す模式的平面図である。
【図９】本発明の第３の実施形態に係る配線ダクトシステムを示す平面図である。
【図１０】配線装置の他の例を示す平面図である。
【符号の説明】
【００３２】
１・・・配線装置、２・・・主壁面、３・・・配線ダクト結合部、
４・・・機械的接続手段、４ａ・・・係合子、５・・・電気的接続手段、
６・・・作動部材、１０・・・配線ダクト、１２・・・開口部、
２０・・・配線ダクトシステム
【図１】
2010075006.tif 000003
【図２】
2010075006.tif 000004
【図３】
2010075006.tif 000005
【図４】
2010075006.tif 000006
【図５】
2010075006.tif 000007
【図６】
2010075006.tif 000008
【図７】
2010075006.tif 000009
【図８】
2010075006.tif 000010
【図９】
2010075006.tif 000011
【図１０】
2010075006.tif 000012